(57)【要約】　　　（修正有）【課題】除草作業を行う者の背の高さにより鍬基体及び柄の角度を調節し、また、除草作業を行う場所の広さによって柄の長さを調節できる刃部角度調節可能な除草鍬を提供する。【解決手段】円弧状の鍬基体２の上辺に軸受け片を設けると共に、その裏面半円弧状刳り抜き中央上部に軸受け片を設けてなり、そこに刃部固定金具８の端部８ｂを軸着し、その刃部固定金具８の中央部に軸を固定し、その軸の両辺に軸受け片を有する部材を回動自在に設けると共に、その両端にボルト１１ａ，１１ｂを設け、そのボルトにより、軸受け片を有する部材を固定するものである。そして軸の両辺に軸受け片を有する部材と円弧状の鍬基体２の上辺に軸受け片との間に連絡板を軸着してなり、そのボルト１１ａ，１１ｂにより、軸受け片を有する部材を固定し、固定位置を調節することにより、鍬基体２の角度を調節することを特徴とする刃部角度調節可能な除草鍬１である。【選択図】　図１
2004121194.tif 000002
【特許請求の範囲】
【請求項１】
鍬基体２は、半円弧状形状からなり、その中央部分に外形とほぼ同型の形状のものを刳り抜き３、円弧状の鍬基体２の上辺に軸受け片４ａ、４ｂを設けると共に、その裏面半円弧状刳り抜き中央上部に軸受け片５ａ、５ｂを設けてなり、そこに刃部固定金具８の端部８ｂを軸着し、その刃部固定金具８の中央部に軸１０を固定し、その軸１０の両辺に軸受け片７ａ，７ｂを有する部材６ａ，６ｂを回動自在に設けると共に、その両端にボルト１１ａ，１１ｂを設け、そのボルト１１ａ，１１ｂにより、軸受け片を有する部材６ａ，６ｂを固定するものである。そして軸１０の両辺に軸受け片を有する部材６ａ，６ｂと円弧状の鍬基体２の上辺に軸受け片４ａ，４ｂとの間に連絡板１２ａ，１２ｂを軸着しなり、そのボルト１１ａ，１１ｂにより、軸受け片を有する部材６ａ，６ｂを固定し、固定位置を調節することにより、鍬基体２の角度を調節することを特徴とする刃部角度調節可能な除草鍬１。
【請求項２】
上記鍬基体２は、軸１０の両端のボルト１１ａ，１１ｂの調節により鍬基体２の角度を３０°，４０°，５０°と３段階に変化させることを特徴とする請求項１記載の刃部角度調節可能な除草鍬１。
【請求項３】
上記柄１５は、刃部固定金具８の端部９ａに３個のボルト１６ａ１，１６ｂ１，１６ｃ１とナット１６ａ２，１６ｂ２，１６ｃ２により固定されるが、その鍬基体２側のボルト１６ａ１とナット１６ａ２を中心として調節することにより、柄の角度を１０°，２０°，３０°と３段階に変化させることを特徴とする請求項１記載の刃部角度調節可能な除草鍬１。
【発明の詳細な説明】
【０００１】
【発明の属する技術分野】
この発明は、除草作業を行う者の背の高さにより鍬基体及び柄の角度を調節し、また、除草作業を行う場所の広さによって柄の長さを調節できる刃部角度調節可能な除草鍬に関する。
【０００２】
【従来の技術】
従来、草削り鍬としては、柄と、取り付け具と、草削りと、小唐鍬とからなるもの公開実用平成１−６３３０１、或いは替え刃式草削り鍬、公開実用平成１−６３３０１とが有するが、共に鍬と柄の部分が固定式であり、人の背の高さや作業の広さにより柄の長さを調節することは出来ないものである。そして極く最近であるが、出願人のものとして特願２００２−２５２００５がある。
【０００３】
【発明が解決しようとする課題】
しかし、上記出願に係る構造の鍬とは違い、土地を耕したり，土を掘ったりするのと違い、土に打ち付けて急激に強い力が柄や鍬に係ることはない。草をとる方法としては、約１ｍ前方草の根に鍬の刃を当てて髭を剃るように地面の表面を手前に一気に引くと草は根から切れ草は削げるものである。
また、約１ｍ前方草の根に鍬の刃を当てて髭を剃るように地面の表面を手前に一気に引くとき、除草作業を行う者の背の高さにより鍬基体の角度の変更のみでは的確な除草作業に応じ切れない場合があるので、それに加え柄の角度を調節可能な除草鍬とした。
【０００４】
この際、地面と鍬の刃の角度が大いに問題となります。その角度が大きすぎると鍬の刃は、草の根を切り難く、その角度によっては刃が土に食い込んだりしてその角度は、作業能率と大いに関係が深いものであります。従来の鍬には刃の角度を調節する装置は無く、この点において不具合を有していたものである。
【０００５】
【課題を解決するための手段】
この発明は、かかる従来の不具合を解消するためになされたもので、地面と鍬の刃の角度が、一定に保たれるように、人の背の高さや、作業する場所の広さにより、柄の長さを接ぎ柄により調節し、姿勢の良い状態で作業することができるので、長時間作業を行っても、腰への負担が少ないことから、疲労も少ない。
【０００６】
上記目的を達成するためこの発明のうち、請求項１記載の発明に係る鍬基体は、半円弧状形状からなり、その中央部分に外形とほぼ同型の形状のものを刳り抜き、円弧状の鍬基体の上辺に軸受け片を設けると共に、その裏面半円弧状刳り抜き中央上部に軸受け片を設けてなり、そこに刃部固定金具の端部を軸着し、その刃部固定金具の中央部に軸を固定し、その軸の両辺に軸受け片を有する部材を回動自在に設けると共にその両端にボルトを設け、そのボルトにより、軸受け片を有する部材を固定するものである。そして軸の両辺に軸受け片を有する部材と円弧状の鍬基体の上辺軸受け片との間に両端に連絡板を軸着しなり、そのボルトにより、軸受け片を有する部材を固定し、固定位置を調節することにより、鍬基体の角度を調節することを特徴とする刃部角度調節可能な除草鍬である。
【０００７】
そして、上記目的を達成するためこの発明のうち、請求項２記載の発明に係る鍬基体２は、軸両端のボルトの調節により鍬基体２の角度を３０度、４０度、５０度と３段階に変化させることを特徴とする請求項１記載の刃部角度調節可能な除草鍬である。
【０００８】
また、上記目的を達成するためこの発明のうち、請求項３記載の発明に係る鍬基体の上記柄は、刃部固定金具の端部に３個のボルトとナットにより固定されるが、その鍬基体側のボルトとナットを中心として調節することにより、柄の角度を１０度、２０度、３０度と３段階に変化させることを特徴とする請求項１記載の刃部角度調節可能な除草鍬である。
【０００９】
【発明の実施の形態】
この発明の実施の形態は図面を参照して詳述する。
図１は本発明の実施の形態になる刃部角度調節可能な除草鍬の全体を示すもので、２点鎖線はそれぞれの作動状態を示す側面図である。図２は、本発明の実施の形態になる刃部角度調節可能な除草鍬の要部である鍬基体の背面斜視図である。
【００１０】
そして図３は、本発明の実施の形態になる上記図２の一部を切り欠き断面で表した背面図である。図４は、本発明の実施の形態になる刃部角度調節可能な除草鍬の要部である鍬基体の正面斜視図である。
【００１１】
図５、図６及び図７は、本発明の実施の形態になる刃部角度調節可能な除草鍬の要部である鍬基体の角度をそれぞれ変えた状態の説明に係る側面図である。図８及び図９は、柄に係る説明図であり、図１０は使用状態の説明図である。
【００１２】
鍬基体２は、半円弧状形状からなり、その中央部分に外形とほぼ同型の形状のものを刳り抜き３、鍬基体の軽量化と削ぎ土草の逃げ場を設け作業のし易さをはかっている。
【００１３】
円弧状の鍬基体２の上辺軸受け片４ａ、４ｂを設け、その軸受け片４ａ、４ｂ間に連結板１２ａ，１２ｂとその連結板が横行しないように横行防止管１３を嵌合し、そこに軸１４を通して回動自在に設けているものである。
【００１４】
そして、刃部固定金具８の中央部に軸１０を設け、その軸１０の両辺に軸受け片７ａ，７ｂを有する部材６ａ，６ｂを回動自在に設けると共に、その両端にボルト１１ａ，１１ｂを設けて、そのボルト１１ａ，１１ｂにより、軸受け片７ａ，７ｂを有する部材６ａ，６ｂを固定するものである。
【００１５】
軸１０の両辺に２枚の軸受け片７ａ，７ｂを有する部材と円弧状の鍬基体の上辺に軸受け片４ａ，４ｂとの間に両端に丸孔を有する連絡板部孔１２ａ，１２ｂを軸着しなり、軸受け片７ａ，７ｂを有する部材６ａ，６ｂを、そのボルト１１ａ，１１ｂにより、使用者の背の高さにより固定位置３０度、４０度、５０度を調節し、鍬基体の角度を調節するものである。
【００１６】
草をとる方法としては、約１ｍ前方草の根に鍬の刃を当てて髭を剃るように地面の表面を手前に一気に引くと草は根から切れ草は削げます。その際、地面と鍬の刃の角度が大きすぎると鍬の刃は、草の根にかかり難く、その角度によっては刃が土に食い込んだりして、その角度は作業能率に関係が深いので、その角度の調節は重要であります。
【００１７】
草の根にかかり易く、地面に深く食い込み難い、地面と鍬の刃の理想的な角度は、４０度前後であり、背の高い人、背の低い人、背が曲がり極端に背の低い人の三段階が想定されますが、角度調節１０度、２０度、３０度の表示に合わせて調整し、それぞれ図６に示すとおり地面と鍬の刃の角度は、４０度に調節できるように設けてある。
【００１８】
鍬基体の刃部角度の調節は、刃部固定金具８の中央部に表示された固定位置３０度、４０度、５０度の位置の下段に軸１０を設けた、その軸１０の両辺に先の尖った軸受け片７ａ，７ｂを有する部材６ａ，６ｂを刃部固定金具８の中央部に表示された固定位置３０度、４０度、５０度に合せて、使用者の背の高さにより選定し、そのボルト１１ａ，１１ｂにより固定するものである。
【００１９】
鍬基体２の角度を調節するほか、その微調整として、図８に示すよう元柄１５ａの一端には、３個の孔が設けられ、刃部固定金具８よりの端部孔１７ａは丸孔が設けられ、他の孔１７ｂ，１７ｃの長孔が設けられている。そして、丸孔１７ａを支点として、柄１５の角度を使用する人の高さに応じて１０度、２０度、３０度を選定し、刃部固定金具９ａの３個のボルト１６ａ１，１６ｂ１，１６ｃ１とナット１６ａ２，１６ｂ２，１６ｃ２で、螺子止めされることにより地面に対する鍬基体２の角度を調節するものである。
【００２０】
そして、柄１５は、元柄１５ａと接ぎ柄１５ｂとからなっており、元柄１５ａの一端には設けられた３個の孔１７と刃部固定金具９ａの端部丸孔１７ａと長孔１７ｂ，１７ｃに３個のボルト１６ａ１，１６ｂ１，１６ｃ１とナット１６ａ２，１６ｂ２，１６ｃ２で刃部固定金具９ａが螺子止され、他端には強力な合い磁石２７を埋め込み、その外側には、接ぎ柄装着筒２４設けなるに対し、接ぎ柄１５ｂの接ぎ部分端部には、強力な磁石２７を埋め込んでなり、これを接ぎ柄装着筒２４に挿入して、柄１５を形成するものである。
【００２１】
また、元柄１５ａと接ぎ柄１５ｂとを接ぎ、柄１５とするときには、図９（Ｃ）及び図（ｄ）に示すように強力な磁石１９と２０はマイナスとプラスのように文互に位置するよう十字状に設けてあり、元柄１５ａの接ぎ柄装着筒２１に接ぎ柄１５ｂを嵌挿して突き当たったとき磁石は、マイナスとプラスが相互に引き合い、完全に柄１５を形成するものである。
【００２２】
また、接ぎ柄１５を元柄１５ａと接ぎ柄１５ｂと引き離す場合は、元柄１５ａと接ぎ柄１５ｂ強く握り、右か左かに４５度回捻ると磁石の位置は、マイナスとマイナス、プラスとプラスのように相対するようになるので反発し簡単に分離できるものである。
【００２３】
接ぎ柄は、その長さが使用する場所又は背の高さによって大、中、小と図示されていないが用意され、使用目的に合わせて選ぶことができ、誠に便利なものである。
【００２４】
【発明の効果】
この発明は、以上詳述したように、一般の鍬とは違い、土地を耕したり、土を掘ったりするのと違い、土地に打ち付けて急激に強い力が柄や鍬に係ることはない。
この鍬の使用方法としては、約１ｍ前方草の根に鍬の刃を当てて髭を剃るように地面の表面を手前に一気に引くことにより草の根を切り草は削げるものである。これにより草は枯れ、表面の土は、１ｃｍ乃至２ｃｍほど削がれるので、土と草は分離し易くなっているため、草の除去作業も効果的である。
【００２５】
この発明に係る鍬は、草の根にかかり易く地面に深く食い込み難い地面と鍬の刃の理想的な角度の位置を保持するものである。その理想的な角度は４０度前後であるが、背の高い人、背の低い人、背が曲がり極端に背の低い人により、主として、鍬基体の角度調節は、その刃部固定金具の中央部に軸の両端にボルトの調節と柄の取付け角度調整とにより、作業の際、それぞれ図１０に示すとおり地面と鍬の刃の角度は、４０度に保たれ、姿勢の良い状態で作業ができるので疲れることが無く長時間作業ができ効率的である。
【００２６】
そして、柄は、元柄と接ぎ柄とからなっているが、その着脱作業は、元柄の接ぎ柄装着筒内に設けている強力磁石の働きにより簡単に接続し、また取り外すときは，４５度捻ると磁石は合い反発し合う状態となるので取り外し易いという利点を有するものである。
【００２７】
更に、この発明に係る鍬は、その部品の数も少なくその組立て作業も簡単であるので、需要者には安価に提供できるものである．
【図面の簡単な説明】
【図１】本発明の実施の形態になる刃部角度調節可能な除草鍬の全体図で、２点鎖線は作動状態を示す正面図である。
【図２】本発明の実施の形態になる刃部角度調節可能な除草鍬の要部である鍬基体の背面斜視図である。
【図３】本発明の実施の形態になる上記図２の一部を切り欠き断面で表した背面図である。
【図４】本発明の実施の形態になる刃部角度調節可能な除草鍬の要部である鍬基体の正面斜視図である。
【図５】本発明の実施の形態になる刃部角度調節可能な除草鍬の要部である鍬基体を３０度に傾斜させた状態の側面図である。
【図６】本発明の実施の形態になる刃部角度調節可能な除草鍬の要部である鍬基体を４０度に傾斜させた状態の側面図である。
【図７】本発明の実施の形態になる刃部角度調節可能な除草鍬の要部である鍬基体を５０度に傾斜させた状態の側面図である。
【図８】（ａ）本発明の実施の形態になる刃部固定金具１３が元柄１５ａの一端に螺着される状態の分解斜視図である。
（ｂ）本発明の実施の形態になる刃部固定金具１３が元柄１５ａの一端に螺着されている状態の側面図である。
【図９】（ａ）本発明の実施の形態になる柄の一部を省略し、接ぎ柄の部分を表した側面図である。
（ｂ）本発明の実施の形態になる柄の一部を省略し、接ぎ柄の部分を断面で表した側面図である。
（ｃ）本発明の実施の形態になる継ぎ柄の部分の平面図である。
（ｄ）本発明の実施の形態になる元柄の一部を省略し、接ぎ柄の部分の平面図である。
【図１０】（ａ）本発明の実施の形態になる背の高い人が作業用状態の正面図である。
（ｂ）本発明の実施の形態になる背の低い人が作業用状態の正面図である。
（Ｃ）本発明の実施の形態になる腰の曲がった背の更に低い人が作業用状態の正面図である。
【符号の説明】
１　　刃部角度調節可能な除草鍬
２　　鍬基体
３　　刳り抜き
４ａ、４ｂ　　鍬基体２の上辺軸受け片
５ａ、５ｂ　　裏面半円弧状刳り抜き中央上部に軸受け突片
６ａ，６ｂ　　軸受け片７ａ，７ｂを有する部材
７ａ，７ｂ　　軸受け片
８　　刃部固定金具
９ａ　　刃部固定金具８の端部
１０　　軸
１１ａ，１１ｂ　　ボルト
１２ａ，１２ｂ　　連絡板
１６ａ１，１６ｂ１，１６ｃ１　　端部９ａに用いる３個のボルト
１６ａ２，１６ｂ２，１６ｃ２　　端部９ａに用いる３個のナット
１５　　柄
【図１】
2004121194.tif 000003
【図２】
2004121194.tif 000004
【図３】
2004121194.tif 000005
【図４】
2004121194.tif 000006
【図５】
2004121194.tif 000007
【図６】
2004121194.tif 000008
【図７】
2004121194.tif 000009
【図８】
2004121194.tif 000010
【図９】
2004121194.tif 000011
【図１０】
2004121194.tif 000012